(57)【要約】【課題】蓋部を容易に開封することができ、且つ異物の侵入や被梱包物の漏出を防止可能な包装ケースを提供する。【解決手段】差し込み片３と重なる箱体１の側面上端には円弧状の切り欠き部５が形成されており、差し込み片３には、円弧状の切り込み８で囲まれた押し込み片９が切り欠き部５と対面する箇所に設けられている。この押し込み片９を内側に押し込むことにより、蓋部２を持ち上げるための指掛け孔６を形成する。切り込み８は切り欠き部５よりも大きく形成されており、蓋部２を閉じた状態では押し込み片９が外側に突出しないようになっている。【選択図】図１
2007253966.tif 000002
【特許請求の範囲】
【請求項１】
少なくとも一面が開口した箱体と、該箱体の開口端の一辺に延設される開閉可能な蓋部と、該蓋部の端部を折り曲げて形成され前記開口端に差し込むことにより前記蓋部を閉状態に保持する差し込み片と、を有する包装ケースにおいて、
前記差し込み片と重なる前記箱体の側面上端に切り欠き部を形成するとともに、前記差し込み片の前記切り欠き部と対面する箇所に指掛け孔を形成可能な押し込み片を、前記切り欠き部の端縁の少なくとも一部に重なるように設けたことを特徴とする包装ケース。
【請求項２】
前記押し込み片は、前記切り欠き部の端縁全周に重なるように形成されることを特徴とする請求項１に記載の包装ケース。
【請求項３】
前記押し込み片は、先端に向かって幅が狭くなる形状であることを特徴とする請求項１又は請求項２に記載の包装ケース。
【請求項４】
前記押し込み片はミシン目で囲まれており、前記ミシン目を破断することにより前記指掛け孔を形成可能としたことを特徴とする請求項１乃至請求項３のいずれかに記載の包装ケース。
【発明の詳細な説明】
【技術分野】
【０００１】
本発明は、例えば電子機器等のような製品を梱包する段ボール箱等の包装ケースに関し、特に差し込み片を有する蓋部の開閉機構に関するものである。
【背景技術】
【０００２】
従来、箱体の蓋部に差し込み片が形成された紙製又は段ボール製の包装ケースが広く用いられている。このような包装ケースの構造を図７に示す。包装ケース１００は、上面が開口した箱体１と、箱体１の開口端の一辺に延設された蓋部２と、蓋部２の一端を折り曲げて形成された差し込み片３とを有し、蓋部２を閉じたとき差し込み片３を箱体１の開口４の内側に差し込むことにより、蓋部２を閉状態に保持可能となっている。
【０００３】
このような包装ケースにおいては、蓋部２に手指を引っ掛ける箇所がないため、蓋部２を開封し難いという問題点があった。そこで、従来は開封性の向上を図るため、例えば図８に示すように、差し込み片３と重なる箱体１の側面上端に切り欠き部５を形成し、差し込み片３の切り欠き部５と対面する箇所に指掛け孔６を設けることにより、切り欠き部５を介して指掛け孔６に指を掛けて蓋部２を開封できるようにしたものや、図９に示すように、差し込み片３を形成する前の蓋部２に切り込みを入れておき、差し込み片３を折り曲げ形成する際に切り起こし７を形成することにより、切り起こし７に指を掛けて蓋部２を開封できるようにしたものが用いられていた。
【０００４】
しかし、図８のような包装ケースでは、梱包状態で指掛け孔６が開いているため、ごみや異物が侵入したり、被梱包物が小型の部品等である場合は指掛け孔６を介して外部に漏出したりするおそれがあった。また、図９のような包装ケースでは、図９（ｂ）に示すように、蓋部２を閉じた状態で切り起こし７が包装ケース１００の前面に突出するため、デザイン上も好ましくない上、例えば包装ケース１００を前後方向に並べて陳列する場合や、複数の包装ケース１００をまとめて大型の梱包ケースに収納する場合に、切り起こし７が隣接する箱体１に干渉して包装ケース１００を整列できないという問題点があった。
【０００５】
なお、蓋部の開封を容易にする方法としては、例えば特許文献１には、複数の段ボール製の個別ケースに蓋体を被せて成る連結ケースにおいて、個別ケースの側面上端部に指掛け孔を形成し、この指掛け孔と重なり合う蓋体の対面箇所にミシン目で囲まれた押し込み片を形成することにより、押し込み片を押し込んで個別ケースの天面壁と蓋体の天面壁とを同時に剥ぎ取る方法が開示されている。
【０００６】
しかしながら、特許文献１の方法では、蓋体と共に個別ケースの天面壁が剥ぎ取られてしまうため、図７〜図９のように繰り返し開閉可能な蓋部２を有する包装ケースに適用することはできなかった。
【特許文献１】特開平７−２０５９７１号公報
【発明の開示】
【発明が解決しようとする課題】
【０００７】
本発明は、上記問題点に鑑み、蓋部を容易に開封することができ、且つ異物の侵入や被梱包物の漏出を防止可能な包装ケースを提供することを目的とするものである。
【課題を解決するための手段】
【０００８】
上記目的を達成するために本発明は、少なくとも一面が開口した箱体と、該箱体の開口端の一辺に延設される開閉可能な蓋部と、該蓋部の端部を折り曲げて形成され前記開口端に差し込むことにより前記蓋部を閉状態に保持する差し込み片と、を有する包装ケースにおいて、前記差し込み片と重なる前記箱体の側面上端に切り欠き部を形成するとともに、前記差し込み片の前記切り欠き部と対面する箇所に指掛け孔を形成可能な押し込み片を、前記切り欠き部の端縁の少なくとも一部に重なるように設けたことを特徴としている。
【０００９】
また本発明は、上記構成の包装ケースにおいて、前記押し込み片は、前記切り欠き部の端縁全周に重なるように形成されることを特徴としている。
【００１０】
また本発明は、上記構成の包装ケースにおいて、前記押し込み片は、先端に向かって幅が狭くなる形状であることを特徴としている。
【００１１】
また本発明は、上記構成の包装ケースにおいて、前記押し込み片はミシン目で囲まれており、前記ミシン目を破断することにより前記指掛け孔を形成可能としたことを特徴としている。
【発明の効果】
【００１２】
本発明の第１の構成によれば、切り欠き部から指で押し込み片を内側に押し込んで指掛け孔を形成し、指掛け孔に指を引っ掛けて蓋部を持ち上げることにより、蓋部を容易に開封することができる。また、蓋部を閉じた状態では押し込み片により指掛け孔が塞がれているため、外部からの異物の侵入や、内容物の外部への漏出を防止できる。
【００１３】
また、本発明の第２の構成によれば、上記第１の構成の包装ケースにおいて、押し込み片を切り欠き部の端縁全周に重なるように形成することにより、押し込み片と切り欠き部との間に隙間が生じ難くなる。
【００１４】
また、本発明の第３の構成によれば、上記第１又は第２の構成の包装ケースにおいて、押し込み片を先端に向かって幅が狭くなる形状とすることにより、押し込み片と共に差し込み片を箱体内に挿入する際の押し込み片と切り欠き部端縁との干渉が低減されるため、差し込み片を箱体内に円滑に挿入できる。
【００１５】
また、本発明の第４の構成によれば、上記第１乃至第３のいずれかの構成の包装ケースにおいて、押し込み片をミシン目で囲んでおき、このミシン目を破断して指掛け孔を形成することにより、箱体への差し込み片の挿入の際に押し込み片が外側に浮き上がるおそれがなく、包装作業性が向上する。また、外力により押し込み片が容易に内側に倒れ込まないため、異物の侵入や内容物の漏出を一層効果的に防止できる。
【発明を実施するための最良の形態】
【００１６】
以下に本発明の実施形態を図面を参照して説明する。図１は、本発明の第１実施形態に係る包装ケースの構成を示す斜視図であり、図２は蓋部２を閉じた状態を示す正面図である。従来例の図８と共通する部分には同一の符号を付して説明を省略する。図１に示すように、差し込み片３と重なる箱体１の側面上端には図８と同様の円弧状の切り欠き部５が形成されており、差し込み片３には、円弧状の切り込み８で囲まれた押し込み片９が切り欠き部５と対面する箇所に設けられている。また、図２に示すように、押し込み片９の外周部が切り欠き部５の端縁に重なるように、切り込み８は切り欠き部５よりも大きく形成されている。
【００１７】
次に、図３を用いて本実施形態の包装ケースの開封操作を説明する。図３（ａ）は蓋部２が閉じられた状態を示す側面断面図（図２のＡＡ′断面）であり、差し込み片３は箱体１の内側（図の右側）に差し込まれている。押し込み片９の端部は切り欠き部５の端縁に内側から重なっており、押し込み片９が外側（図の左側）に突出しないように構成されている。
【００１８】
蓋部２を開ける場合は、図３（ｂ）のように、切り欠き部５から指で押し込み片９を矢印Ｂ方向に押し込むことにより指掛け孔６を形成する。そして、指掛け孔６に指を引っ掛けて蓋部２を矢印Ｃ方向に持ち上げる。これにより、蓋部２を容易に開封することができる。また、図３（ａ）に示す蓋部２を閉じた状態では、押し込み片９により指掛け孔６が塞がれているため、外部から異物が侵入したり、内容物が外部に漏れ出たりするのを防止できる。
【００１９】
なお、押し込み片９は外周縁が切り欠き部５の端縁全周に重なっている必要はなく、例えば図４に示すように、切り込み８によって矩形状の押し込み片９を形成し、押し込み片９の両端部のみが切り欠き部５の端縁に内側から重なるようにしても良い。即ち、押し込み片９が切り欠き部５の端縁の少なくとも一部に重なるようにすれば、外部への押し込み片９の突出を防止可能となる。しかし、切り込み８の一部が切り欠き部５から露出するため、押し込み片９に外力が加わると切り欠き部５との間に隙間が生じ易くなる。そのため、図２のように押し込み片９の外周縁が切り欠き部５の端縁全周に重なる構成とすることが好ましい。
【００２０】
また、切り欠き部５及び押し込み片９の形状についても特に制限はないが、差し込み片３を箱体１に挿入する際に押し込み片９が外側に浮いていると、箱体１の開口端と干渉して差し込み片３を円滑に挿入できない場合がある。そこで、押し込み片９を円弧状に形成しておけば、図５（ａ）のように切り欠き部５が矩形の場合でも、図５（ｂ）のように差し込み片３を箱体１内に所定量挿入した状態で、押し込み片９の外周縁の一部を切り欠き部５の両角部１０の内側に潜り込ませた後、さらに差し込み片３を挿入れば良いため、差し込み片３の挿入開始時に押し込み片９を内側に押さえておく必要がなく、より円滑な挿入が可能となる。なお、押し込み片９の先端に向かうほど細くなるような形状であれば、円弧状に限らず逆台形状や多角形の一部のような形状であっても良い。
【００２１】
図６は、本発明の第２実施形態に係る包装ケースの構成を示す斜視図である。第１実施形態の図１と共通する部分には同一の符号を付して説明を省略する。本実施形態においては、押し込み片９は切り込み８ではなくミシン目１１で囲まれている。そして、蓋部２を開ける場合は、切り欠き部５を介して外側から押し込み片９を指で押さえ、ミシン目を破断する。これにより、第１実施形態と同様に指掛け孔６が形成され、蓋部２の開封が容易となる。
【００２２】
さらに、本実施形態では押し込み片９と差し込み片３とが予めミシン目１１により一体化されているため、箱体１への差し込み片３の挿入の際に押し込み片９が外側に浮き上がるおそれがなく、包装作業性が向上する。また、外力により押し込み片９が容易に内側に倒れ込まないため、異物の侵入や内容物の漏出を一層効果的に防止することができる。従って、内容物が漏出し易い小型の部品等である場合、或いは医薬品や食品等のように高い密封性が要求される場合に好適に用いることができる。
【００２３】
ミシン目１１のピッチについては特に制限はないが、ミシン目のピッチが狭くなる程外力を受けた場合に破断し易くなるため、押し込み片９を押し込んで指掛け孔６を形成し易くなる反面、剛性は低下するため、小さな衝撃によりミシン目の破断が生じ易くなる。そのため、包装ケースの材質や要求される剛性、及び開け易さの程度等に応じて適宜設定すれば良い。また、切り欠き部５及び押し込み片９の形状や大きさについては第１実施形態と同様であるため説明は省略する。
【００２４】
その他本発明は、上記実施形態に限定されず、本発明の趣旨を逸脱しない範囲で種々の変更が可能である。例えば上記実施形態においては、箱体１の上端に開口４が設けられており、蓋部２も上端一箇所に設けているが、箱体１の上下に開口を設けて上下二箇所に蓋部２を設けても良い。また、蓋部２が容易に開封しないように箱体１の内面と差し込み片３とを数カ所接着しておいても良い。
【産業上の利用可能性】
【００２５】
本発明は、少なくとも一面が開口した箱体と、該箱体の開口端の一辺に延設される開閉可能な蓋部と、該蓋部の端部を折り曲げて形成され開口端に差し込むことにより蓋部を閉状態に保持する差し込み片と、を有する包装ケースにおいて、差し込み片と重なる箱体の側面上端に切り欠き部を形成するとともに、差し込み片の切り欠き部と対面する箇所に指掛け孔を形成可能な押し込み片を、切り欠き部の端縁の少なくとも一部に重なるように形成したものである。
【００２６】
これにより、蓋部を容易に開封することができ、外部からの異物の侵入や、内容物の外部への漏出を防止可能な包装ケースを簡便且つ低コストで提供することができる。また、、押し込み片を切り欠き部の端縁全周に重なるように形成すれば、押し込み片と切り欠き部との間に隙間が生じ難くなり、異物の侵入や内容物の漏出がさらに抑制される。さらに、押し込み片を円弧状や逆台形状等の先端に向かって順次細くなる形状とすれば、押し込み片を差し込み片と共に円滑に挿入可能となる。
【００２７】
また、押し込み片の少なくとも一部をミシン目で囲み、このミシン目を破断して指掛け孔を形成する場合、押し込み片が差し込み片と一体化されるため、包装作業性が向上する。また、外力により押し込み片が容易に内側に倒れ込まないため、異物の侵入や内容物の漏出を一層効果的に防止可能となり、特に小型部品や医薬品、食品等に好適な包装ケースとなる。
【図面の簡単な説明】
【００２８】
【図１】は、本発明の第１実施形態に係る包装ケースの構造を示す斜視図である。
【図２】は、第１実施形態の包装ケースの蓋部を閉じた状態を示す正面図である。
【図３】は、第１実施形態の包装ケースの開封操作を説明する部分断面図である。
【図４】は、第１実施形態の包装ケースの他の構成例を示す部分拡大図である。
【図５】は、第１実施形態の包装ケースの他の構成例を示す部分拡大図である。
【図６】は、本発明の第２実施形態に係る包装ケースの構造を示す斜視図である。
【図７】は、従来の包装ケースの構造を示す斜視図である。
【図８】は、従来の包装ケースの他の構造を示す斜視図である。
【図９】は、従来の包装ケースの他の構造を示す斜視図及び側面図である。
【符号の説明】
【００２９】
１              箱体
２              蓋部
３              差し込み片
４              開口
５              切り欠き部
６              指掛け孔
８              切り込み
９              押し込み片
１１            ミシン目
１００          包装ケース
【図１】
2007253966.tif 000003
【図２】
2007253966.tif 000004
【図３】
2007253966.tif 000005
【図４】
2007253966.tif 000006
【図５】
2007253966.tif 000007
【図６】
2007253966.tif 000008
【図７】
2007253966.tif 000009
【図８】
2007253966.tif 000010
【図９】
2007253966.tif 000011